(57)【要約】【課題】ディスプレイシステムを提供する。【解決手段】本発明の一実施形態によれば、光５２を生成し、光５２を光学経路５８、６０、６２に沿って向けるように構成された照明源と、光学経路５８、６０、６２中に配置され、複数の色光線を生成するように構成された複数のカラーフィルタ６８、７０、７２と、光学経路５８、６０、６２中に配置され、色光線を受けて調整し、画像を生成するように適合された空間光変調器と、を備えたディスプレイシステムが提供される。【選択図】図３
2004110040.tif 000002
【特許請求の範囲】
【請求項１】
　光を生成し、該光を光学経路に沿って向けるように構成された照明源と、
　前記光学経路中に配置され、前記光を変調して低解像度カラー画像を生成するように構成された低解像度色変調器と、
　前記光学経路中に配置され、前記低解像度画像を微細化するように構成された高解像度光変調器と、
を備えているディスプレイシステム。
【請求項２】
　前記低解像度色変調器が、複数の画像生成ユニットを含む、請求項１記載のディスプレイシステム。
【請求項３】
　前記各画像生成ユニットが、複数のカラーフィルタを含み、該各カラーフィルタは、選択的に色を生成するように構成されている、請求項２記載のディスプレイシステム。
【請求項４】
　前記照明源および前記低解像度色変調器が集合して、複数の発色要素を備えた色発光器を形成する、請求項１記載のディスプレイシステム。
【請求項５】
　光を生成し、該光を光学経路に沿って向けるように構成された照明源と、
　前記光学経路中に配置され、複数の色光線を生成するように構成された複数のカラーフィルタと、
　前記光学経路中に配置され、前記色光線を受け、該色光線を調整して画像を生成するよう適合された空間光変調器と、
を備えているディスプレイシステム。
【請求項６】
　前記各カラーフィルタが、前記光学経路内に選択的に配置可能な可動フィルタ材を含む、請求項９記載のディスプレイシステム。
【請求項７】
　低解像度色光アレイを生成するように構成された色光源と、
　前記低解像度色光アレイを受け、より高い解像度の色光アレイを生成するように構成された高解像度光変調器と、
　前記より高い解像度の色光アレイを受け、該より高い解像度の色光アレイに基づいて画像を生成するように構成されたディスプレイ面と、
を備えているディスプレイ装置。
【請求項８】
　低解像度色光アレイを生成するステップと、
　前記低解像度色光アレイを高解像度空間変調器上に向けるステップと、
　前記低解像度色光アレイの部分部分を選択的に変調して、高解像度画像を生成するステップと、
　前記高解像度画像をディスプレイ面上に向けて画像を生成するステップと、
を含む、画像を表示する方法。
【請求項９】
　画像を表示するように構成されたディスプレイシステムであって、
　光を光学経路に沿って向ける照明手段と、
　前記光学経路中にあり、前記光を選択的に分離して色光アレイにする色分離手段と、
　前記光学経路中にあり、前記色光アレイを選択的に変調してカラー画像を生成する空間光変調手段と、
を備えているディスプレイシステム。
【請求項１０】
　画像を表示するように構成されたディスプレイシステムであって、
　光を生成し、該光を光学経路に沿って向けるように構成された照明源と、
　前記光学経路中にあり、前記光を選択的に分離して色光アレイにする色変調器と、
　前記色光アレイを選択的に変調してカラー画像を生成するように構成された空間光変調器と、
を備えているディスプレイシステム。
【発明の詳細な説明】
【技術分野】
【０００１】
　本発明は、ディスプレイシステムに関する。
【背景技術】
【０００２】
　長い年月にわたり、画像生成に様々なディスプレイシステムが使用されてきた。かかるディスプレイシステムは、陰極線管（ＣＲＴ）、液晶ディスプレイ（ＬＣＤ）、または電気アドレス型発光ディスプレイ、たとえばプラズマディスプレイ等の画像装置を採用することができる。ディスプレイシステムはさらに、受動ディスプレイスクリーンまたは能動ディスプレイスクリーンを組み込むことが可能である。
【０００３】
　通常、そのようなディスプレイシステムは、光源、カラーホイール（色環）、および空間光変調器を備える。光源から発せられる光はカラーホイールに向けられ、カラーホイールが光源からの光を順次濾波し、通常、赤色光、緑色光、および青色光を生成する。赤色光、緑色光、および青色光は、空間光変調器に順次送られ、所望の画像に応じて変調される。カラーホイールの位置は、空間光変調器が光を適切に変調して画像を生成するように、トラッキングされなければならない。
【０００４】
　カラーホイールの使用は、ディスプレイシステムの画質およびコストに影響を及ぼし得る。たとえば、空間光変調器と併せてカラーホイールを使用すると、ちらつきおよび／または連続したカラーアーチファクトが発生する可能性がある。連続したカラーアーチファクトは、ビデオ画像中で高速に移動する物体を追従する虹色の陰影を含み得る。さらに、カラーホイールの使用は、画像全体の明度に影響を及ぼし得る。カラーホイールによる明度の低下を克服するために、高電力光源がディスプレイシステム内に組み込まれる場合がある。しかし、高電力光源は、ディスプレイシステムのコストを上げるとともに、動作中にかなりの量の電力を消費する。さらに、光源を冷やすためにファンが必要になる。かかるファンは、ディスプレイシステムのノイズおよび全体のサイズを増大させる。
【発明の開示】
【０００５】
　光を生成し、光を光学経路に沿って向けるように構成された照明源と、光学経路中に配置され、複数の色光線を生成するように構成された複数のカラーフィルタと、光学経路中に配置され、色光線を受けて調整し、画像を生成するように適合された空間光変調器とを備えたディスプレイシステムが提供される。
【発明を実施するための最良の形態】
【０００６】
　図１は、画像を生成して画面上に画像を表示するように構成されたディスプレイシステムを１０で示す。ディスプレイシステム１０は、背面投影ディスプレイシステム、前面投影ディスプレイシステム、または他の適当なディスプレイシステムであることができる。
【０００７】
　通常、ディスプレイシステム１０は、光を光学経路すなわち光学経路１４に沿って画面１６に向けるように構成された光源すなわち照明源１２を備える。画面１６は適したあらゆる形態をとることができるが、通常は略平坦であるため、本明細書ではディスプレイ面とも呼ばれる。
【０００８】
　光源１２は、光を生成し、その光を画面１６に向けるように構成された、適したあらゆる装置であることができる。たとえば、光源１２は、水銀灯または他のスペクトルの広い光源等の単一光源であることができる。あるいは、光源１２は、発光ダイオード（ＬＥＤ）等の複数光源を含んでもよい。
【０００９】
　光源１２から生成した光はさらに、低解像度色変調器１８上に向けられる。低解像度色変調器１８は、より詳細に後述するように、微小鏡（micromirror）アレイ、カラーフィルタ、および／または多色光源などの空間光変調器であることができる。通常、低解像度色変調器は、低解像度色光アレイ（color light array）を生成する。このため、本明細書にて用いる低解像度色変調器は、色を分離し、光線を空間的に分離して低解像度色光アレイにするように適合されたあらゆる装置を含むことができる。本明細書で用いる低解像度色光アレイは、低解像度カラー画像を生成するように構成された個別の色光線のあらゆる配置を含むことができる。
【００１０】
　光源１２および低解像度色変調器１８は集合的に、色光源２０を形成することができる。したがって、実施形態によっては、低解像度色変調器は光源に一体化される。あるいは、低解像度色変調器は光源から独立していてもよい。構成に関わりなく、光源と低解像度色変調器との組み合わせにより、低解像度色光アレイが生成される。
【００１１】
　色光源２０によって発せられる、または伝えられる低解像度色光アレイは、高解像度光変調器２２、または微小鏡アレイもしくは同様のデバイス等の空間光変調器にさらに向けられる。高解像度光変調器２２は、画面１６上の画像の解像度を有効に上げることができる。通常、高解像度光変調器２２は、画面１６上の個々の表示要素に対応する複数の鏡または他の反射装置を含む。高解像度光変調器内の鏡は、画像の一部を（たとえば、反射により）個々に表示画面に向ける。このため、高解像度光変調器２２は、個々のピクセルを効果的に「オン」あるいは「オフ」するように動作することができる。「オン」状態では通常、対応するピクセルの色光が高解像度光変調器２２から画面１６上の個別の表示要素に伝達される。
【００１２】
　通常、低解像度色変調器および高解像度光変調器は直列に配置される。したがって、低解像度色変調器と高解像度光変調器の組み合わせにより、細かく分解されたカラー画像を生成することができる。上に述べたように、低解像度色変調器は通常、粗いカラー画像に対応する低解像度色光アレイを画面上に生成する。高解像度光変調器は、最小のカラーアーチファクトで画像が細かく分解されて見えるように粗い画像を微細化する（refine）。言い換えれば、高解像度光変調器は、低解像度色光アレイを受け、高解像度色光アレイを生成するように構成される。したがって、高解像度光変調器を適宜制御することにより、画像全体の見た目を向上させることができる。
【００１３】
　上に述べ、また以下により詳細に述べるように、ディスプレイシステムは、光を光学経路に沿って向ける照明手段と、光学経路中にあり、光を選択的に分離して色光アレイにする色分離手段とを備えることができる。実施形態によっては、色光アレイは、色光線で構成される多色光アレイであり、この場合、色光線の少なくとも２つの色は異なる。色光アレイを選択的に変調してカラー画像を生成するように構成された空間光変調手段をさらに設けることができる。
【００１４】
　ディスプレイシステム１０は、画像の生成を管理するように構成されたコントローラ２４をさらに備えることができる。具体的には、コントローラ２４は、低解像度色変調器１８および高解像度光変調器２２を両方とも管理することができる。たとえば、実施形態によっては、コントローラ２４は、光が色的かつ空間的の両方で分離されて低解像度画像を生成するように低解像度色変調器を管理しうる。さらに、高解像度光変調器２２が微小鏡アレイを含む場合、コントローラ２４は、微小鏡アレイの微小鏡を独立して作動して最終画像を形成するとともに、画面上のかかる画像の色および明度（intensity）を制御するように構成することができる。
【００１５】
　光学経路１４に沿って移行する光は、投影光学系２６、そして画面１６上にさらに向けられる。投影光学系２６は１枚または複数枚の映写レンズを含むことができる。通常、投影光学系２６は画面１６上に画像を集束させ、サイズ変更し、配置するように適合される。
【００１６】
　図２は、別のディスプレイシステム３０を示す。図示のように、ディスプレイシステム３０は、画像３２を画面３４上に生成するように構成することができる。通常、画面３４は、協働して相互作用して画面上に画像を形成する複数の表示要素３６を含む。本明細書にて用いる表示要素は、画面３４上の画像生成構造体である。通常、表示要素３６は、可視光スペクトル内の光を伝達または発することが可能である。表示要素３６は、個々のピクセル、ピクセル群、サブピクセル、サブピクセル群等の表示を行うように配置することができる。
【００１７】
　図示のシステム３０では、光源３８は高圧水銀灯の形態をとることができる。このため、光源３８は光３９を発生し、光を光学経路（全体的に破線で示される）に沿って向ける。図示のように、光３９はレンズ４０（またはレンズ群）等の光学系を通りインテグレータロッド（integrator rod）４２に、そして低解像度色変調器４４に向けられる。
【００１８】
　図示の実施形態では、低解像度色変調器４４は、入射光を色分離するとともに空間的に分離して、複数の色光線にするように構成される。このため、低解像度色変調器４４は、複数の色光線で構成された低解像度色光アレイを生成する。実施形態によっては、低解像度色変調器４４は、個々のフィルタ要素に対応して異なる色の光線を選択的に透過するように構成されたデジタル光フィルタである。
【００１９】
　図示のように、光フィルタは、光発生ユニットとも呼ばれる、個別の複数のフィルタ要素４６それぞれにおいて選択的にある波長（色）の光を透過し、他の波長（色）の光を遮断または吸光する、適したあらゆるカラーフィルタであることができる。通常、光フィルタは光を個別の色光線に分離する。また通常、各フィルタ要素４６は、結果発生する色光線によって表される、全体画像の異なる低解像度部分に対応する。理解されるように、単一フィルタ要素４６は、画面３４上の複数の表示要素３６に対応しうる。
【００２０】
　結果発生する色光線（簡略化のために、そのうちの２つのみを図２に示す）は、光学経路に沿って、本実施形態では微小鏡アレイとして示す高解像度光変調器４８にさらに向けられる。上に述べたように、高解像度光変調器４８は、光フィルタ４４を介して生成された低解像度画像をさらに微細化するように構成された高解像度空間光変調器の形態をとることができる。結果生成される高解像度画像（ここでも単一の光線として示される）は、光学系５０を通って画面３４にさらに向けられ、画像３２を生成する。
【００２１】
　図３は、本ディスプレイシステム内で使用しうるあるタイプの低解像度色変調器を示す。同様の装置は、Steven W. Steinfield、Mohammad M.Samii、Jack H.Schmidt、Matthew Giere、David Tyvoll、Noah Lassar、およびWinthrop D.Childersにより２００２年９月１９日付けで出願された「FILTER FOR A DISPLAY SYSTEM」と題する米国特許出願第１０／２５１，２４１号、およびNoah Lassar、Steven W.Steinfield、Mohammad M.Samii、Jack H.Schmidt、Matthew Giere、David TyvollおよびWinthrop D.Childersにより２００２年９月１９日付けで出願された「COLOR-GENERATING DEVICE AND DISPLAY SYSTEM」と題する米国特許出願第１０／２５１，３１１号に図示、記載されている。図示のように、光５２は、光源から発せられて低解像度色変調器５４に当たる。低解像度色変調器５４は、本明細書ではフィルタ要素７６、７８、および８０で示す複数の画像生成ユニット５６を含むことができる。光５２は、５８、６０、および６２で示す対応の光学経路に沿ってフィルタ要素７６、７８、８０を通過する。光は、フィルタ要素を通過するとき、通常、かかるフィルタ要素の異なるフィルタ状態に基づいて色分離され、そうして複数の色光線が生成される。
【００２２】
　低解像度色変調器５４の各フィルタ要素は、複数のカラーフィルタ６８、７０、および７２を包含することが見て取れる。そして各カラーフィルタは、異なるカラーフィルタ材（color filter medium）６６を含むことができ、このフィルタ材６６はフィルタ内に選択的に配置することができ、またある波長（色）の光を遮断または吸光し、他の異なる波長（色）の光を透過するように構成することができる。通常、フィルタ材６６は、着色液体や染料等の着色流体である。たとえば、フィルタ材６６は、インク、トナー、または他の適した着色液体であることができる。しかし、フィルタ材６６は、気体、ゼラチン樹脂、または光学経路中／外に選択的に可動な他の物質を含むあらゆる物質でありうることに留意されたい。
【００２３】
　実施形態によっては、フィルタ材６６は、外部電荷を（電極または他の適した装置を介して）カラーフィルタに印加することにより、フィルタ材が選択的に光学経路中／外に移動するように帯電される。また、実施形態によっては、電気毛管現象または他のある機構もしくは手段を介して、フィルタ材を移動させることができる。たとえば、フィルタは、可変の表面特性を有するチャンバを用いることができる。たとえば、チャンバは、１つまたは複数の電極に連結された親水性表面を有し、それにより、電荷をかかる電極に印加すると、電界または電流の形成が影響を受け、対応するフィルタチャンバの領域の親水性を低くする（疎水性をより高くする）ことができる。そのようにフィルタの表面特性を変更することにより、チャンバ内のフィルタ材を選択的に移動することができる。
【００２４】
　こうして、フィルタ要素内のカラーフィルタは、選択された色を動的に生成することが可能である。非限定例として、フィルタ要素７６、７８、および８０はそれぞれ、シアンフィルタ６８、イエローフィルタ７０、およびマゼンタフィルタ７２を備えることが見て取れる。そして、これらカラーフィルタはそれぞれ、ある波長（色）の光のみを透過するように構成されたフィルタ材を含む。たとえば、シアンフィルタ中のフィルタ材はシアン光以外のすべての光を遮断または吸光し、イエローフィルタ中のフィルタ材はイエロー光以外のすべての光を遮断または吸光し、マゼンタフィルタ中のフィルタ材はマゼンタ光以外のすべての光を遮断または吸光することができる。赤フィルタ、緑フィルタ、青フィルタ等が挙げられるがこれらに限定されない他のカラーフィルタも可能である。さらに、３つのフィルタを示すが、任意の数のフィルタを使用することができ、かかる構成は本発明の範囲内である。
【００２５】
　カラーフィルタ６８、７０、７２を重ねて、フィルタ要素中に複数の重複したフィルタ層をつくることができる。したがって、図３では、フィルタ要素５６は３つのフィルタ層を含む。しかし当業者は、任意の数のフィルタ層を使用しうることを理解されよう。フィルタ要素の深さはフィルタ層の数に依存しうる。フィルタ要素の専有面積（footprint）は、単一カラーフィルタの専有面積に実質的に対応する。
【００２６】
　各フィルタ要素は、光をフィルタに通し、光学経路に沿って向けるための開口部を画定するように構成された光ガイド７４を含む。このため、各光ガイドは、光透過エリアを画定するものと考えることができる。たとえば、フィルタ要素７６では、光ガイドは光を光学経路５８に沿ってフィルタ６８、７０、および７２を通るように向ける。同様に、フィルタ要素７８の光ガイドは、光学経路６０に沿って光を向ける。フィルタ要素８０では、光ガイドは光を光学経路６２に沿って向ける。
【００２７】
　図示の実施形態では、光は、図示のフィルタの中央部分に対応する部分などの光学経路部分または光透過エリアを通過する。本明細書では中央部分として示すが、フィルタの光学経路部分はフィルタのいずれの部分であってもよい。個々のフィルタの状態に応じて、光は、かかるフィルタの光学経路部分を通過する際に濾波されるか、または濾波されない。
【００２８】
　図示の実施形態では、各カラーフィルタは２つの状態、すなわち透過状態および濾波状態を有する。透過状態では、光は遮られることなくカラーフィルタを透過する。たとえば、フィルタ要素７８では、すべてのカラーフィルタが透過状態にある。具体的には、フィルタ材は、光がいずれのカラーフィルタを通るときにも光を遮断しない。濾波は事実上行われないため、白色光がフィルタを通過する。
【００２９】
　濾波状態では、光は、光学経路に沿って移動するときにフィルタ材を通る。具体的には、フィルタ材６６は、光の少なくとも一部がフィルタ材を通らなければならないように選択的に配置することができる。こうして、フィルタ材は、光学経路中にある場合、通常ある波長（色）の光を遮断し、他の波長（色）の光を透過させる。
【００３０】
　フィルタ要素が色光を生成するためには、１つまたは複数のフィルタが濾波状態にある。たとえば、図３のフィルタ要素７６では、シアンフィルタ６８およびマゼンタフィルタ７２は両方とも透過状態で示されるが、イエローフィルタ７０は濾波状態で示されている。このような構成では、光５２はシアンフィルタ６８を通り、イエローフィルタ７０を通り（フィルタ材が光学経路を妨げ、イエロー光以外の実質的にすべての光を遮断する）、マゼンタフィルタ７２を通る。かかる構成の結果として、フィルタ要素７６からイエローの光線が発せられる。同様に、シアン光は、フィルタ要素８０に示すように、シアンフィルタが濾波状態にあり、その他のフィルタが透過状態の場合に生成することができる。
【００３１】
　もちろん、シアン、イエロー、およびマゼンタ以外の色も、シアンフィルタ、イエローフィルタ、およびマゼンタフィルタを使用して生成することができる。たとえば、シアンフィルタおよびイエローフィルタが両方とも濾波状態の場合、フィルタ要素は緑色の光線を発する。緑色光は、シアンフィルタが赤色光を遮断し、緑色光および青色光を透過し、イエローフィルタが青色光を遮断し、緑色光および赤色光を透過した結果生じる。したがって、シアンフィルタは通常、緑色光および青色光のみを透過し、イエローフィルタは一般に緑色光および赤色光のみを透過するため、両方のフィルタを透過する唯一の色は緑色光である。さらに、すべて濾波状態のフィルタを組み合わせると、暗く表示される要素が生成される。
【００３２】
　理解されるように、上に述べた低解像度色変調器により、カラーホイールの必要性をなくすことができる。カラーホイールを用いたシステムでは、カラーホイール上の色空間の数およびサイズにより、任意特定の色に割り当てられる時間が制限される。具体的には、カラーホイールが赤、緑、および青で等分される場合、任意特定の色、たとえば赤に割り当てられる時間は３３％である。さらに、赤色光は白色光の一部でしかないため、赤色の物体の生成に利用することができるのは、与えられた光のうちの実質的に３３％未満である。
【００３３】
　対照的に、低解像度空間光・色変調器中のカラーフィルタは、向けられた光の略すべてを透過するように構成される。具体的には、単一フィルタ要素中のすべてのフィルタが透過状態の場合、フィルタ要素は白色光の略１００％を通す。さらに、提案されている構成では、フィルタ要素の時間インタリーブはまったく必要ないため、静的なカラーホイールによるカラーシーケンシングにより光が失われなくて済む。かかる構成では、カラーホイールまたは他のシーケンシャル光フィルタを使用する場合よりも、画像を生成する際に失われる光が大幅に少ないため、より低電力の光源を使用することが可能である。低電力の光源を使用することができるため、必要な電力が低くなる。したがって、ここで説明しているものなどの層状フィルタディスプレイを組み込んだ装置内のバッテリの有効寿命を長くすることができる。同様に、光源に必要な電力が低くなるため、装置の小型軽量化が可能である。
【００３４】
　図４は、全体的に８２で示す別のディスプレイシステムを示す。図示のシステム８２では、光源および低解像度色変調器は共に一体化されて、低解像度色光アレイを生成するように構成された色発光器８４を形成する。具体的には、色発光器８４は複数の画像生成ユニット８５を含むことができる。画像生成ユニット８５は、低解像度の光パターンを生成するように構成された発光ダイオード（ＬＥＤ）等の複数の発色要素を含むことができる。具体的には、図示の実施形態における発色要素は、赤発色要素、緑発色要素、および青発色要素であり、低解像度パターンの赤、緑、および青の光を生成するように構成されている。あるいは、実施形態によっては、光発生器は、液晶ディスプレイ（ＬＣＤ）空間光変調器を備えた光源を含むことができる。
【００３５】
　次いで、色発光器８４から発せられる光パターンは、光学系８６に向けられる。次に、光学系８６は光を色発光器８４から、微小鏡アレイ等の高解像度光変調器８８に向ける。上に述べたように、高解像度光変調器８８は画像をさらに微細化することが理解されよう。結果発生された光は次に、投影光学系９０を通り、そして画面９２上に向けられる。
【００３６】
　図５は、例示的な画像生成ユニット８５の構成をさらに示す。各画像生成ユニットまたはカラーバンドル８５は色発光アレイ９４を含む。図示のように、色発光アレイ９４は、発光ダイオード（ＬＥＤ）等複数の発光素子を含む。例示的な図では、３つのＬＥＤが色発光アレイ９４、具体的には赤色ＬＥＤ（Ｒ）、緑色ＬＥＤ（Ｇ）、および青色ＬＥＤ（Ｂ）から延出して示されている。他の色、他のタイプの発光素子を、図５に示す発光素子と組み合わせて、または独立して使用しうることを理解されたい。
【００３７】
　発光素子は光ファイバ９６に連結される。たとえば、赤色ＬＥＤが赤色光ファイバに関連し、青色ＬＥＤが青色光ファイバに関連し、緑色ＬＥＤが緑色光ファイバに関連している。光ファイバは、光インテグレータを通して結合される。したがって、各画像生成ユニットは、アドレス可能な発光素子を含む。具体的には、図５に示す画像生成ユニットは、１００で示す色光、たとえば赤色光、緑色光、および青色光を選択的に生成するように構成されている。
【００３８】
　上に述べたように、画像生成ユニットからの光は、低解像度画像を生成する。次に、高解像度光変調器を使用して、低解像度画像を微細化することができる。高解像度光変調器が単に、低解像度色変調器からのすべての光を反射するだけである場合には、低解像度画像が画面に提供されることに留意されたい。高解像度空間変調器の個々の鏡を制御することにより、低解像度色変調器によって生成された低解像度画像を向上させることが可能である。
【００３９】
　したがって、上に述べたように、ディスプレイ面に画像を表示する方法であって、低解像度色光アレイを生成することと、低解像度色光アレイを高解像度空間変調器に向けることと、低解像度色光アレイの一部を選択的に変調して高解像度画像を生成することと、高解像度画像をディスプレイ面に向けて画像を生成することとを含む方法が提供される。低解像度色光アレイを生成することは、複数の空間的に分離された発色素子から光を発すること、低解像度色変調器から光を発すること、および／または集合的に低解像度色光アレイを形成する複数の色光線を選択的に発するように構成された複数の色光フィルタに光を通すように向けることを含むことができることを理解されたい。
【００４０】
　低解像度色変調器と高解像度光変調器の組み合わせにより、人間の目の働きを模倣する。具体的には、人間の目は複数の光受容体、たとえば錐体および桿体を含む。目は色の差を比較的解像度が低い錐体で知覚する。本明細書に述べたディスプレイシステムの低解像度色変調器は、人間の目の中の錐体で容易に知覚されるようになっている低解像度のカラー画像を生成する。高解像度光変調器は、より微細化された画像を生成する。高解像度光変調器を使用しての画像の生成は、グレースケールを知覚するようになっている、目の中の桿体に相関するものである。
【００４１】
　低解像度色変調器および高解像度光変調器を組み込んだ、ディスプレイシステムの代替の各種実施形態および構成について図示および上述したが、他の多くの実施形態、構成、および変更が可能であり、本発明の範囲内であることが当業者には理解されよう。言い換えれば、当業者は、添付の特許請求の範囲に規定の本発明の精神および範囲から逸脱することなく、多くの変更を行い得ることが理解されよう。本発明の説明は、本明細書に述べた要素の新規および非自明な組み合わせすべてを包含するものと理解されるべきであり、これら要素の新規および非自明なあらゆる組み合わせに対する特許請求の範囲を本願または後願に提示し得る。上記実施形態は例示的なものであり、単一の機構または要素は、本願または後願において特許権請求され得るすべての可能な組み合わせにとって重要ではない。特許請求の範囲において「１つ」または「第１の」要素またはこの等価物が使用される場合、かかる特許請求の範囲は、２つ以上のかかる要素が必要なわけでもなく、また２つ以上のかかる要素を除外することもなく、１つまたは複数のかかる要素の盛り込みを含むものと理解すべきである。
【図面の簡単な説明】
【００４２】
【図１】低解像度色変調器および高解像度光変調器を組み込んだ、本発明の一実施形態によるディスプレイシステムのブロック図である。
【図２】低解像度光フィルタを組み込んだ、本発明の別の実施形態によるディスプレイシステムの概略図である。
【図３】図２に示すシステム内で使用しうる例示的な低解像度光フィルタの概略図である。
【図４】複数の画像生成ユニットを備えた色発光器を有する、本発明の別の実施形態によるディスプレイシステムの若干概略的な図である。
【図５】図４に示す画像生成ユニットの概略図である。
【符号の説明】
【００４３】
５８、６０、６２：光学経路
６８、７０、７２：カラーフィルタ
【図１】
2004110040.tif 000003
【図２】
2004110040.tif 000004
【図３】
2004110040.tif 000005
【図４】
2004110040.tif 000006
【図５】
2004110040.tif 000007